(57)【要約】  ハウジングと、第１のコントロールモジュールと第２のコントロールムジュールにて構成した監視システムコントローラである。第１のコントロールモジュールはハウジング内の第１の場所に位置して第１の軸周りで回転し、そうすることで第１のコントロールモジュールが第１の角度位置で回転するようにしてある。第２のコントロールムジュールはハウジング内の第２の場所に位置して第２の軸周りで回転し、そうすることで第２のコントロールモジュールは第１の角度位置とは別の第２の角度位置で回転するようにしたものである。【選択図】図２
2008500780.tif 000002
【特許請求の範囲】
【請求項１】
ハウジングを有し、そのハウジング内の第1の位置に置かれ第1の軸の周りを回転可能な第1のコントロールモジュールであって、その第1のコントロールモジュールは第1の角度位置で回転でき、かつ第2のコントロールモジュールは前記ハウジング内の第２の位置に置かれ第2の軸の周りを回転でき、その第2のコントロールモジュールは前記第1の角度位置とは別の第2の角度位置で回転可能とした構成の監視システムコントローラ。
【請求項２】
第1、第２のモジュールは、ハウジング内で入れ替わり、第1のコントロールモジュールはハウジング内の第2の位置に置かれ、第2のコントロールモジュールはハウジング内の第1の位置におかれるような構成とした請求項１記載の監視システムコントローラ。
【請求項３】
ハウジングは複数の電気的コネクタを有し、第１、第２のコントロールモジュールの夫々はそのハウジング内の複数の電気的コネクタの一つに夫々接続する電気的コネクタを有する請求項２記載の監視システムコントローラ。
【請求項４】
ハウジングは凸形状とした第1の周辺を有し、前記周辺にコントローラのユーザが近接することを意図した請求項３記載の監視システムコントローラ。
【請求項５】
第３のコントロールモジュールがハウジング内の第１、第２のコントロールモジュール間に位置する構成とした請求項４記載の監視システムコントローラ。
【請求項６】
第３のコントロールモジュールは、第１、第２のコントロールモジュールのどちらかと入れ替わるようにした請求項５記載の監視システムコントローラ。
【請求項７】
第１、第２のコントロールモジュールが回転する間、第１、第２のコントロールモジュールをそれぞれの位置に固定するための、第１のコントロールモジュール用第１の機械的締め具と、第２のコントロールモジュール用第２の機械的締め具とで構成する請求項４記載の監視システムコントローラ。
【請求項８】
第１、第２、第３のコントロールモジュールは、コントロールモジュールがジョイステイックおよびコントロールボタンを有し、コントロールモジュールがビデオストレージ装置用コントローラまたはコントロールモジュールがキーパッドを有するかの一つで構成する請求項６記載の監視システムコントローラ。
【請求項９】
第３のコントロールモジュールはコントローラ内に位置し、第１、第２および第３のモジュール周辺に引かれるアークがハウジングの第１の周辺の凸形状に似た形状である請求項５記載の監視システムコントローラ。
【請求項１０】
ハウジングは第１の周辺と対向して第２の周辺を有し、かつ第２の周辺は第１の周辺よりも高く、ハウジングの上面が第２の周辺から第１の周辺に向かうスロープである請求項９記載の監視システムコントローラ。
【請求項１１】
複数の開口と複数の電気的コネクタを有するハウジングと、前記複数の電気的コネクタの第１の電気的コネクタに接続される第１の電気的コネクタを有し、かつ前記複数の開口の第１の開口内に位置する第１のコントロールモジュールと、複数の電気的コネクタの第２の電気的コネクタに接続された第２の電気的コネクタを有し、かつ前記複数の開口の第２の開口内に位置する第２のコントロールモジュールと、第1、第２のコントロールモジュールは第１、第２の開口間で入れ替わりができるように構成した監視システムコントローラ。
【発明の詳細な説明】
【技術分野】
【０００１】
発明の背景
この発明は監視システムに関し、特に監視システムに使用するコントローラに関する。ここに使用された用語、監視システムはビル管理、警備システムが含まれる。
【０００２】
コントローラは、ビデオカメラを選びかつ制御するために監視システムに使用されてきている。コントローラは、通常多機能を遂行するいくつかのキーおよびカメラのパン移動をコントロールするジョイステイックを備え、そのコントロール下でカメラのチルトおよびズームをなしている。監視要員は限りない間退屈で疲れるコントローラの操作をすることになる。従来のコントローラは、適所に固定したキーおよびジョイステイックを有している。監視要員はコントローラについて彼ら自身の最適な場所としてコントローラを操作するが、操作に人間工学的に適していない場所でそれらを握らなければならないかもしれない。したがって、長い間ビデオコントロールに必要な静止の間、オペレータに人間工学的優位性を与えるような監視システムのコントローラが待望されていた。
【０００３】
発明の概要
この発明によれば、ハウジング、第1のコントロールモジュールおよび第2のコントロールモジュールから成る監視システムコントローラを提供する。第1のコントロールモジュールはハウジング内の第1の位置に置かれ、第1の軸の回りで回転でき、そうすることで第1のコントロールモジュールが第1の角度位置で回転することができる。第2のコントロールモジュールは、ハウジング内の第1の位置に置かれ、第2の軸の周りで回転でき、そうすることで第2のコントロールモジュールは、第1の角度位置とは別の第2の角度位置で回転することができる。
【０００４】
この発明の他の態様は次の構成とした監視システムコントローラを提供するものである。複数の開口と複数の電気的コネクタを有するハウジングと、前記複数の電気的コネクタの第１の電気的コネクタに接続される第１の電気的コネクタを有し、かつ前記複数の開口の第１の開口内に位置する第１のコントロールモジュールと、複数の電気的コネクタの第２の電気的コネクタに接続された第２の電気的コネクタを有し、かつ前記複数の開口の第２の開口内に位置する第２のコントロールモジュールと、第1、第２のコントロールモジュールは第１、第２の開口間で交替ができるように構成した監視システムコントローラである。
【０００５】
この発明のさらに他の態様では、コントローラまたはハウジング内で第１と第２のコントロールモジュール間に位置する第３のコントロールモジュールのユーザの近接する周辺が凸形状を有している。この第３のコントロールモジュールは、第１、第２のコントロールモジュールのいずれかと交替できる。コントロールモジュールは次のようなものの一つで構成されている。それは、コントロールモジュールはジョイステイックおよびコントロールボタンを有し、コントロールモジュールはビデオストレージ装置を制御するコントローラを有し、またはコントロールモジュールがキーパッドを有している。さらに、三つのコントロールモジュールはコントローラ内に位置し、そうすることで第１、第２および第３のコントロールモジュール周辺からのアーク形状は、コントローラのユーザが近接する第１の周辺の凸形状に似たものとなる。
【０００６】
この発明のその他の優位性および応用性は次の好ましい態様の詳細な説明で明らかになるであろう。
この発明をより完全な理解とそれに伴う優位性および特徴は、次の詳細な説明と添付された図面とでより容易に理解することができる。
【０００７】
発明の詳細な説明
この発明は、ここに述べられ特に示されたことに制限されるものではないということを当業者は理解するであろう。加えて、記述に反しない限り、添付された図面は定比率ではないことに注意すべきである。変形の多様性とバリエーションは、発明の範囲と精神を逸雑することなく上記の教示を考慮することが可能であり、そのことは請求項によってのみ制限されるものである。
【０００８】
図１について説明すると、ビデオ監視システムは一般に数字10にて示されている。コントローラ12はネットワーク14にてビデオ監視カメラ16、ビデオストレージ18そしてモニター20に接続されている。ネットワーク14は、配線によるクローズのもの、ローカルエリアネットワークあるいはインターネットのような広域エリアネットワークとすることができる。コントローラ12は、コントロールカメラ16に既に知られているようなパン、チルトあるいはズーム機能のような適切な電気信号の送信又は受信をなすものである。カメラ16からのビデオ信号はモニター20で見ること、およびビデオカセットレコーダ、デジタルビデオレコーダであるビデオストレージ18にストアしてもよい。
【０００９】
図２について説明すると、コントローラ12は、三つのコントロールモジュール24、26そして28、さらにオプションのリストサポート30を備えたハウジング22を有している。コントロールモジュール24は、キーパッドコントロール型機能用の複数のキーを備えている。コントロールモジュール26は、ジョグ、シャトルおよびビデオストレージ装置からのビデオプレイバック制御用のいくつかのキーを備えている。コントロールモジュール28は、パン、チルト、ズームおよび他の機能を備えるビデオ監視カメラのコントロール用ジョイステイックおよびいくつかのキーを備えている。コントロールモジュール24、26および28の場所はいかなる態様にも変えることができ、例えばコントロール28はコントロールモジュール24の場所にあるいはその反対としてもよい。この利点は、コントロールモジュールの配置をユーザに与えるもので、このことで殆どの時間ユーザの腕操作でコントロールする位置で使用される。加えて、三つのコントロールモジュールが示されているが、コントローラ12が三つのコントロールモジュールをもつ必要はない。コントローラが三つ以下の場合はプレートが使用され、またはプレートが未使用位置かその位置上に置かれる。さらにコントロールモジュール24、26および28は、ユーザに人間工学的な快適さあるいは優位性を提供するために配列されるよう個別に交替させることもできる。付属のリストサポート30は、ユーザに対しさらに快適さおよび人間工学的なサポートを提供する。
【００１０】
図３はコントローラ12の分解斜視図で、コントロールモジュール24、26そして28がハウジング22の上部34の夫々のモジュールキャビテイ32内に置かれている。モジュールクリッカー38はハウジング22の上部34と下部36間に置かれ、さらにコントロールモジュール24、26および28にスクリュ39で結合してある。モジュールクリッカー38とコントロールモジュール24、26および28との機能および内部接続は後に説明する。ハウジング22の上部34と下部36は、プラスチックまたは他の好ましい材料にて形成されている。
【００１１】
図４はハウジング22の上部34の上面を示している。各モジュールキャビテイ34は中央の開口40とリング42を有し、リングは耐摩耗性、低弾力性のデユポン社が提供するデルリン（登録商標）アセタール樹脂のような耐久性を有するものである。各モジュールキャビテイ32内に4個のノッチ44が有り、リング42の適切なタブでリング42がスリップなく適正位置を保持するようにしてある。さらに、各モジュールキャビテイ34は、図１０に示すモジュール底部50のリップ48と対になるストッパ46を有している。モジュール底部50は、キャビテイ32内でモジュール底部50が回転できる範囲を制限するエッジ52を有し、この回転範囲の制限内でコントロールモジュール24、26および28は回転することができ、それはモジュール底部50がホール54に位置した図示しないスクリューにて各コントロールモジュール24、26および28に結合されているからである。コントロールモジュール24、26および28は回転できる範囲は、好ましくは180度あるいはそれ以下である。モジュール底部50の面56はリング42上に置かれ、かつモジュール底部50が回転するときにはリング42上をスライドする。ライン58は、コントロールモジュール24、26および28の外周に沿ったもので、周辺60の凸形状に類似するアークで示してある。コントロールモジュール24、26および28の回転位置と共同する周辺60の凸形状は、ユーザに人間工学的な優位性を提供する。さらに、図１に示すようにコントローラ12の上面62は、ユーザに快適さと人間工学的な優位性を与えるためユーザに向かって僅かにスロープになっている。図５を参照して、後部サポート壁64は前部サポート壁66よりも高くしてあり、上面62の僅かな傾きを提供している。
【００１２】
図２、６、７、９および１０について説明すると、クリッカー38は三つの隆起部68を有し、それはハウジング22の上部34の底面72上の突起70と係合してコントロールモジュール24、26および28の位置を維持するが、それらが回転して所定位置になったときである。クリッカー38はキャビテイ領域74を有し、モジュール底部50上の隆起部76と対をなしている。キャビテイ領域74は、隆起部76内で開口80と整列する開口78を有し、そうすることでスクリュー39がハウジング22の底部36内の開口83を通して挿入してクリッカ38をコントロールモジュール24、26および28に固定し、さらに隆起部68と突起70が係合する。クリッカ38は、ハウジング22の底部36の上面84上でリング82に係合する。モジュール底部50には、コントロールモジュール24、26および28に接続するUSBコネクタのような電気的な接続に見合う溝86を有している。
【００１３】
図８この発明の電気的回路の概要を示している。コントロールモジュール24、26および28は夫々コネクタ88を有し、回路ボード92からの各コネクタ90と対になっている。各コネクタ88と90はUSBタイプのコネクタにできる。回路ボードはUSBコネクタ、ホーンジャックあるいは他の適切なコネクタでも可能なコネクタ94、96そして98を有し、それは図１に示すようなコントローラ12とネットワーク14間の通信用である。さらに、他のデバイス例えばデジタルストレージデバイスをコネクタ94、96そして98接続することもできる。図９において、ライン100、102および104はコネクタ90から内部品106を備えた回路ボード92への配線を示している。
【００１４】
図１１に示されるようなリストサポート30は、ハウジング22の周辺60に見合う凹状辺106と、ハウジング22の周辺60の形に近い形状を有した凸状辺108とを有している。リストサポート30は、開口112のある四つのタブ110を有し、その開口にスクリューが挿入されハウジング22の低部36にリストサポート30が固定される。
【００１５】
この発明の変形および修正は、発明の範囲を外れることなく達成されることが理解される。それはこの発明の範囲がここに開示された詳細な態様に制限されると解釈されるものではないし、先の開示の考え方の理解で添付の特許請求の範囲によってのみ解釈されることが理解される。
【図面の簡単な説明】
【００１６】
【図１】この発明に使用するビデオ監視システムのブロックダイアグラム
【図２】この発明に使用するコントローラの斜視図
【図３】図２に示したコントローラの分解斜視図
【図４】図３に示したハウジングの平面図
【図５】ハウジング底部の側面図
【図６】図３に示したクリッカーの斜視図
【図７】図３に示したハウジング上部の部分底面図
【図８】この発明のモジュールとプリント基板の電気的接続のブロックダイアグラム
【図９】図３に示したハウジング底部の上面斜視図
【図１０】図３に示したコントロールモジュールのモジュール底部の斜視図
【図１１】図３に示したリストサポートの平面図
【符号の説明】
【００１７】
１２：コントローラ
１４：ネットワーク
１６：ビデオ監視カメラ
１８：ビデオストレージ装置
２０：モニタ
２４、２６、２８：コントロールモジュール
【図１】
2008500780.tif 000003
【図２】
2008500780.tif 000004
【図３】
2008500780.tif 000005
【図４】
2008500780.tif 000006
【図５】
2008500780.tif 000007
【図６】
2008500780.tif 000008
【図７】
2008500780.tif 000009
【図８】
2008500780.tif 000010
【図９】
2008500780.tif 000011
【図１０】
2008500780.tif 000012
【図１１】
2008500780.tif 000013
【国際調査報告】
2008500780.tif 000014
2008500780.tif 000015